(57)【要約】【課題】曲げ易く、且つ潰れ難くする。【解決手段】鉗子チャンネルチューブ２５は、チューブ本体３１、補強テープ３２、外皮３３から構成される。補強テープ３２は、補強層３４、接着層３５から構成される。補強層３４は、硬質樹脂３４ａ、この硬質樹脂３４ａよりも低剛性の軟質樹脂３４ｂからなり、各樹脂３４ａ，３４ｂは、チューブ本体３１の軸方向に交互に、且つチューブ本体３１の周方向の全体にわたって配される。接着層３５は、補強層３４の下面に取り付けられる。補強テープ３２は、チューブ本体３１の外周面３１ａに巻き付けられ、接着層３５で固定される。補強テープ３２は、チューブ本体３１の径方向に加えられる力に対する剛性を、チューブ本体３１に加えられる曲げ力に対する剛性よりも高くして、チューブ本体３１の剛性に異方性を持たせる。【選択図】図２
2010029436.tif 000002
【特許請求の範囲】
【請求項１】
可撓性を有するチューブ本体と、
接着層、及び前記接着層に積層され、前記チューブ本体の軸方向に高剛性の硬質樹脂と低剛性の軟質樹脂とが周期的に配置され、且つ前記チューブ本体の周方向の全体にわたって前記硬質樹脂と前記軟質樹脂とが配置されるように形成された補強層を有し、前記接着層で前記チューブ本体の外周面に巻き付け固定された補強テープと、
前記補強テープの上から前記チューブ本体を覆う外皮と、を備えることを特徴とする内視鏡用チューブ。
【請求項２】
前記硬質樹脂及び軟質樹脂は、原料が同じで材料が異なることを特徴とする請求項１記載の内視鏡用チューブ。
【請求項３】
前記硬質樹脂及び軟質樹脂は、前記チューブ本体の軸方向の厚みまたは径方向の高さが異なることを特徴とする請求項１または２記載の内視鏡用チューブ。
【請求項４】
内視鏡の鉗子チャンネルに用いられることを特徴とする請求項１ないし３いずれか１つ記載の内視鏡用チューブ。
【請求項５】
可撓性を有するチューブ本体の軸方向に高剛性の硬質樹脂と低剛性の軟質樹脂とが周期的に配置され、且つ前記チューブ本体の周方向の全体にわたって前記硬質樹脂と前記軟質樹脂とが配置されるように補強層を作製する補強層作製工程と、
作製された前記補強層に接着層を付加し、前記補強層及び接着層からなる補強シートを作製する補強シート作製工程と、
作製された前記補強シートを所定幅にカットして補強テープを作製する補強テープ作製工程と、
作製された前記補強テープを、前記チューブ本体の剛性に異方性を持たせるように、内部に芯材が挿入された前記チューブ本体の外周面に巻き付け、前記接着層で固定する補強テープ固定工程と、
固定された前記補強テープの上に外皮を形成する外皮形成工程と、を備えることを特徴とする内視鏡用チューブの製造方法。
【請求項６】
前記補強テープ固定工程の前に、接着性を高めるための表面処理を前記チューブ本体の外周面に施すことを特徴とする請求項５記載の内視鏡用チューブの製造方法。
【請求項７】
前記表面処理は、化学エッチング、プラズマ照射、または機械的研磨のうちのいずれか１つであることを特徴とする請求項６記載の内視鏡用チューブの製造方法。
【請求項８】
前記補強テープ固定工程では、前記補強層を加熱しながら前記補強テープの巻き付けを行うことを特徴とする請求項５ないし７いずれか１つ記載の内視鏡用チューブの製造方法。
【請求項９】
前記補強層作製工程では、凹凸の鋳型を用いて前記硬質樹脂を成型し、成型した前記硬質樹脂の凹部に前記軟質樹脂を流し込んで硬化させた後、前記硬質樹脂と前記軟質樹脂の境界面が露顕するように不要部分を除去して、前記補強層を作製することを特徴とする請求項５ないし８いずれか１つ記載の内視鏡用チューブの製造方法。
【発明の詳細な説明】
【技術分野】
【０００１】
本発明は、内視鏡の鉗子チャンネル等に使用される内視鏡用チューブ及びその製造方法に関するものである。
【背景技術】
【０００２】
内視鏡を利用した医療検査では、スネアループ等の処置具を、内視鏡の鉗子チャンネルに挿通して、生体組織の採取や切除など様々な処置を行っている。内視鏡は、被検体に挿入される挿入部の先端に、湾曲可能な湾曲部が連結されており、鉗子チャンネルは、挿入部及び湾曲部に連通して設けられている。
【０００３】
鉗子チャンネルに用いられる鉗子チャンネルチューブには、処置具が挿通される内表面の滑り性、耐汚染性能及び耐薬品性を満たすために、フッ素樹脂が使用されている。内視鏡は、検査時に湾曲部を湾曲させるため、鉗子チャンネルチューブの湾曲部内を挿通されている部分も一緒に湾曲する。鉗子チャンネルチューブをフッ素樹脂チューブ単体で構成した場合には、湾曲時にチューブが径方向に潰れるキンク（座屈）が発生する。チューブにキンクが発生すると、処置具の挿入性が悪くなり、場合によっては破けるおそれもある。そこで、湾曲時の折れやキンクを防ぐために、鉗子チャンネルチューブを補強する技術が提案されている。
【０００４】
特許文献１では、フッ素樹脂チューブに、金網が埋め込まれた外層を接着することにより補強を行っており、特許文献２では、フッ素樹脂チューブの外周面に螺旋溝を形成し、この溝に金属バネを巻き付けることにより補強を行っている。
【０００５】
特許文献３では、多孔質のＰＴＦＥ（ポリテトラフルオロエチレン）にシリコンゴムを充填した基体チューブの外周面に、気密性材料からなる第二層を形成し、さらに第二層の外周面に多孔質ＰＴＦＥからなる補強層を形成し、チューブを補強している。第二層及び補強層を形成する際には、これらのフィルムを、基体チューブ及び第二層の外周面に接着剤で巻き付け固定する態様が記載されている。
【特許文献１】特開平４−３４１８３６号公報
【特許文献２】特開平５−２２８１０６号公報
【特許文献３】特開平６−２７０３０１号公報
【発明の開示】
【発明が解決しようとする課題】
【０００６】
特許文献１、３に記載の発明は、外層及び補強層によって、チューブの径方向に加えられる力に対する剛性（チューブの潰れ難さ）を高めることはできるが、同時にチューブに加えられる曲げ力に対する剛性も高まってしまう。このため、チューブが曲げ難くなり、内視鏡の挿入性や操作性に支障を来すおそれがある。また、特許文献２に記載の発明は、繰り返しの湾曲によって溝から金属バネが飛び出してしまうおそれがある。
【０００７】
本発明は、上記課題を解決するためになされたものであり、曲げ易く、且つ潰れ難い内視鏡用チューブ及びその製造方法を提供することを目的とする。
【課題を解決するための手段】
【０００８】
上記目的を達成するために、本発明の内視鏡用チューブは、可撓性を有するチューブ本体と、接着層、及び前記接着層に積層され、前記チューブ本体の軸方向に高剛性の硬質樹脂と低剛性の軟質樹脂とが周期的に配置され、且つ前記チューブ本体の周方向の全体にわたって前記硬質樹脂と前記軟質樹脂とが配置されるように形成された補強層を有し、前記接着層で前記チューブ本体の外周面に巻き付け固定された補強テープと、前記補強テープの上から前記チューブ本体を覆う外皮と、を備えることを特徴とする。
【０００９】
また、前記硬質樹脂及び軟質樹脂は、原料が同じで材料が異なることが好ましい。さらに、前記硬質樹脂及び軟質樹脂は、前記チューブ本体の軸方向の厚みまたは径方向の高さが異なることが好ましい。また、内視鏡の鉗子チャンネルに用いられることが好ましい。
【００１０】
さらに、本発明の内視鏡用チューブの製造方法は、可撓性を有するチューブ本体の軸方向に高剛性の硬質樹脂と低剛性の軟質樹脂とが周期的に配置され、且つ前記チューブ本体の周方向の全体にわたって前記硬質樹脂と前記軟質樹脂とが配置されるように補強層を作製する補強層作製工程と、作製された前記補強層に接着層を付加し、前記補強層及び接着層からなる補強シートを作製する補強シート作製工程と、作製された前記補強シートを所定幅にカットして補強テープを作製する補強テープ作製工程と、作製された前記補強テープを、前記チューブ本体の剛性に異方性を持たせるように、内部に芯材が挿入された前記チューブ本体の外周面に巻き付け、前記接着層で固定する補強テープ固定工程と、固定された前記補強テープの上に外皮を形成する外皮形成工程と、を備えることを特徴とする。
【００１１】
また、前記補強テープ固定工程の前に、接着性を高めるための表面処理を前記チューブ本体の外周面に施すことが好ましい。
【００１２】
さらに、前記表面処理は、化学エッチング、プラズマ照射、または機械的研磨のうちのいずれか１つであることが好ましい。
【００１３】
また、前記補強テープ固定工程では、前記補強層を加熱しながら前記補強テープの巻き付けを行うことが好ましい。
【００１４】
さらに、前記補強層作製工程では、凹凸の鋳型を用いて前記硬質樹脂を成型し、成型した前記硬質樹脂の凹部に前記軟質樹脂を流し込んで硬化させた後、前記硬質樹脂と前記軟質樹脂の境界面が露顕するように不要部分を除去して、前記補強層を作製することが好ましい。
【発明の効果】
【００１５】
本発明によれば、チューブ本体の軸方向に硬質樹脂と軟質樹脂とが周期的に配置され、且つチューブ本体の周方向の全体にわたって硬質樹脂と軟質樹脂とが配置されるように形成された補強層によりチューブ本体を補強するから、チューブ本体の径方向に加えられる力に対する剛性が、チューブ本体に加えられる曲げ力に対する剛性よりも高くなるように、チューブ本体の剛性に異方性を持たせることができる。これにより、曲げ易く、且つ潰れ難くすることができ、良好な操作性を確保しながら、湾曲時の径方向への潰れを防止することができる。
【００１６】
また、接着層で補強テープをチューブ本体の外周面に巻き付け固定するから、繰り返しの曲げに対する耐久性も向上する。
【発明を実施するための最良の形態】
【００１７】
［第１実施形態］
図１に示すように、内視鏡１０は、被検体内に挿入される可撓性の挿入部１１と、挿入部１１の基端部分に連設された操作部１２とを備えている。
【００１８】
挿入部１１の先端には、被検体内撮影用の撮像素子としてのＣＣＤ（図示せず）などが内蔵された先端部１５が連設されている。先端部１５の後方には、複数の湾曲駒を連結した湾曲部１６が設けられている。湾曲部１６は、操作部１２に設けられたアングルノブ１７が操作されて、挿入部１１内に挿設されたワイヤが押し引きされることにより、上下左右方向に湾曲動作する。これにより、先端部１５が被検体内の所望の方向に向けられる。
【００１９】
操作部１２には、スネア等の処置具が挿入される鉗子入口２１と、送気・送水装置（図示せず）から供給される空気や洗浄水の送気・送水を行う送気・送水ボタン２２とが設けられている。先端部１５の先端面には、鉗子出口２３が設けられている。操作部１２、挿入部１１、湾曲部１６及び先端部１５の内部には、鉗子入口２１と鉗子出口２３とをつなぐ内視鏡用鉗子チャンネルチューブ（以下、鉗子チャンネルチューブと称する）２５が挿入されている。鉗子入口２１から挿入されたスネア等の処置具は、鉗子チャンネルチューブ２５内部を挿通され、鉗子出口２３から出される。
【００２０】
図２に示すように、鉗子チャンネルチューブ２５は、チューブ本体３１と、補強テープ３２と、外皮３３とから構成されている。チューブ本体３１は、可撓性を有する材料、例えばフッ素樹脂からなる。外皮３３は、例えば、ポリウレタンからなり、補強テープ３２の上からチューブ本体３１を覆う。なお、図２においては、外皮３３を途中で切断した状態を示している。
【００２１】
補強テープ３２は、所定の幅（例えば、１０ｍｍ）のテープ状に形成されており、チューブ本体３１の外周面３１ａに巻き付け固定されている。補強テープ３２は、チューブ本体３１の径方向に加えられる力に対する剛性（以下、径方向剛性と称する）が、チューブ本体３１に加えられる曲げ力に対する剛性（以下、曲げ方向剛性と称する）よりも高くなるように、チューブ本体３１の剛性に異方性を持たせる。なお、補強テープ３２による補強後は、チューブ本体３１の径方向剛性が、チューブ本体３１の曲げ方向剛性の１．１〜１０００倍程度であることが好ましく、２〜１０００倍であることがさらに好ましい。
【００２２】
鉗子チャンネルチューブ２５を製造するときには、図３のフローチャートに示すように、先ず、チューブ本体３１内に、金属製の芯材（図示せず）を挿入する（ステップ（以下、Ｓ）１）。芯材の挿入により、補強テープ３２を巻き付けるときのチューブ本体３１の変形を防止する。なお、チューブ本体３１を芯材と一緒に押出成型する場合には、（Ｓ１）を省くことができる。
【００２３】
チューブ本体３１の外周面３１ａに、ナトリウム金属溶液などによる化学エッチング処理を施す（Ｓ２）。この表面処理により、外周面３１ａの表面を平坦化して、補強テープ３２との接着性を上げる。表面処理としては、化学エッチング処理の他に、プラズマ照射による処理、機械加工による研磨処理などが挙げられるが、外周面３１ａ表面の物理的、科学的安定性を図るためには、化学エッチング処理またはプラズマ照射処理が好ましい。なお、表面処理は、補強テープ３２を外周面３１ａに巻き付け固定する直前に行ってもよい。
【００２４】
次に、補強層３４と接着層３５とからなる補強テープ３２を作製する（Ｓ３）。そして、補強テープ３２を、外周面３１ａに巻き付けて、接着層３５により固定する（Ｓ４）。このとき、自動テープ巻付機を用いるとともに、補強テープ３２の補強層３４を加熱しながら巻き付けることにより、補強層３４が変形することなく安定した形状で巻き付けることができる。なお、この際、チューブ本体３１の先端及び後端から補強テープ３２がはみ出すように巻き付けた後、はみ出した部分をカットすることにより、チューブ本体３１の外周面３１ａの全範囲に補強テープ３２を貼り付けることができる。また、自動テープ巻付機としては、特許文献２の図７等に示すコイル巻付機の如く、鉗子チャンネルチューブ２５をその軸を中心に回転させながら、補強テープ３２を外周面３１ａに螺旋状に巻き付けるものを採用することができる。
【００２５】
補強テープ３２をチューブ本体３１に貼り付けた後、補強テープ３２の表面にポリウレタンなどのコーティング層を塗布して外皮３３を形成する（Ｓ５）。この外皮３３により、補強テープ３２の表面を滑らかにし、鉗子チャンネルチューブ２５の外周面の摺動性を向上する。そして、外皮３３を形成した後、チューブ本体３１から芯材を引き抜く（Ｓ６）。なお、ポリウレタンによるコーティング処理に代えて、熱収縮チューブを、補強テープ３２の上から被せて加熱収縮させ、補強テープ３２をコートして表面を滑らかにしてもよい。なお、便宜上、補強テープ３２の作製（Ｓ３）を、表面処理（Ｓ２）と巻き付け（Ｓ４）との間の工程として説明しているが、（Ｓ３）を他の工程と切り離して、補強テープ３２を予め作り置きしておいてもよい。
【００２６】
以下、（Ｓ３）の工程を詳述する。図４（Ａ）に示すように、補強テープ３２は、補強層３４と接着層３５とから構成されている。補強層３４は、硬質樹脂３４ａと、この硬質樹脂３４ａよりも低剛性の軟質樹脂３４ｂとからなり、各樹脂３４ａ，３４ｂは、チューブ本体３１の軸方向に交互に、且つチューブ本体３１の周方向の全体にわたって配されている。接着層３５は、補強層３４の下面に取り付けられている。軟質樹脂３４ｂの厚みＴｂは、硬質樹脂３４ａの厚みＴａよりも厚い。これにより、補強テープ３２の剛性に異方性を持たせることができる。
【００２７】
補強テープ３２を作製するときには、先ず、図４（Ｂ）に示すように、長辺（例えば、１０ｍ）の鋳型Ａの凹部に、溶解した状態の硬質樹脂を流し込んで硬化させて、硬質樹脂３４ａを成型する。次に、図４（Ｃ）に示すように、硬質樹脂３４ａを鋳型Ａから取り外して反転させ、硬質樹脂３４ａの凹部に、溶解した状態の軟質樹脂（軟化温度は硬質樹脂３４ａよりも低い）を流し込んで硬化させ、軟質樹脂３４ｂを成型する。そして、図４（Ｄ）に示すように、各樹脂３４ａ，３４ｂの境界面が露呈するように不要部分を研磨処理などによりカットして補強層３４を形成した後、図４（Ａ）に示すように、接着層３５を、補強層３４の下面に取り付けて、長辺の補強シートを作製する。そして、この補強シートを、１０ｍｍ幅のテープ状にカットして、補強テープ３２を作製する。
【００２８】
このように、補強テープ３２によりチューブ本体３１を補強し、チューブ本体３１の径方向剛性を曲げ方向剛性よりも高くしたから、鉗子チャンネルチューブ２５を、曲げ易く、且つ潰れ難くすることができ、良好な操作性を確保しながら、湾曲時の径方向への潰れを防止することができる。
【００２９】
また、補強層３４の下面に接着層３５を取り付け、接着層３５により補強テープ３２をチューブ本体３１に巻き付け固定したから、チューブ本体３１と補強テープ３２との剥離を防止することができる。
【００３０】
なお、硬質樹脂３４ａの高さＨａと軟質樹脂３４ｂの高さＨｂとの比率、または硬質樹脂３４ａの剛性と軟質樹脂３４ｂの剛性との比率を変えることにより、チューブ本体３１の剛性に異方性を持たせることができ、この場合にも、第１実施形態と同様の効果を得られる。
【００３１】
なお、硬質樹脂および軟質樹脂は、原料が同じで材料が異なっていてもよい。例えば、硬質樹脂および軟質樹脂の原料をいずれもポリエステルとし、一方に剛性を変えるための添加物（カーボン粉末等）を添加してもよい。
【００３２】
［第２実施形態］
図５及び図６に示す第２実施形態は、鉗子チャンネルチューブ４０を、チューブ本体３１と、補強テープ４１と、外皮４２とから構成している。補強テープ４１は、チューブ本体３１の外周面３１ａに巻き付け固定されている。なお、第１実施形態のものと同様の構成部材には同一の符号を付し、その詳細な説明を省略する。
【００３３】
図６（Ａ）に示すように、補強テープ４１は、補強層４３と、接着層４４とから構成される。補強層４３は、補強ネット４６と、樹脂層４７とから構成される。補強ネット４６は、チューブ本体３１に補強テープ４１を巻き付け固定したときにチューブ本体３１の周方向（図５参照）に沿うように配置される複数の周方向補強繊維４６ａと、チューブ本体３１の軸方向（図５参照）に沿うように配置される複数の軸方向補強繊維４６ｂとが編組みされて構成されている。各補強繊維４６ａ，４６ｂは、同じ材料（例えば、ポリエステル）から構成されている。周方向補強繊維４６ａは、軸方向補強繊維４６ｂよりも太径で形成されている。
【００３４】
樹脂層４７は、周方向補強繊維４６ａ（ポリエステル）に比べて低剛性のＵＶ硬化樹脂により構成され、補強ネット４６が充填されている。接着層４４は、樹脂層４７の下面に取り付けられている。なお、補強テープ４１による補強後は、チューブ本体３１の径方向剛性が、チューブ本体３１の曲げ方向剛性の１．１〜１０００倍程度であることが好ましく、２〜１０００倍であることがさらに好ましい。
【００３５】
補強テープ４１を作製するときには、先ず、各補強繊維４６ａ，４６ｂを、互いに所定ピッチで交差角度が９０°となるように編組し、図６（Ｂ）に示す長辺（例えば、１０ｍ）の補強ネット４６を形成する。次に、図６（Ｂ）に示す状態の補強ネット４６を加熱圧着（ヒートプレス）して、図６（Ｃ）に示すように、補強ネット４６の上面及び下面を平坦にする。次に、図６（Ｄ）に示すように、ＰＥＴ等の基材Ｂに、樹脂層４７を構成する樹脂モノマーの塗布層Ｃを所定の膜厚で形成した後、図６（Ｅ）に示すように、樹脂モノマーの塗布層Ｃの表面に補強ネット４６を取り付ける。そして、樹脂モノマーの塗布層Ｃを、周方向補強繊維４６ａと軸方向補強繊維４６ｂとの隙間に樹脂モノマーが充填された状態でＵＶ硬化させて樹脂層４７を作製し、補強ネット４６を樹脂層４７に充填させる。補強ネット４６を樹脂層４７に充填した後、図６（Ｆ）に示すように、基材Ｂを取り除く。なお、補強ネット４６を樹脂層４７に充填させる方法は、上記の方法に限らず、補強ネット４６を樹脂モノマー溶液で満たされた容器に入れ、補強ネット４６を引き上げた後に樹脂モノマーをＵＶ硬化させるディップ加工により行ってもよい。
【００３６】
図６（Ａ）に示すように、基材Ｂを取り除いた後、接着層４４を、樹脂層４７の下面に取り付けて、長辺の補強シートを作製する。そして、この補強シートを、１０ｍｍ幅のテープ状にカットして、補強テープ３２を作製する。
【００３７】
以上のように作製した補強テープ４１を、図５に示すように、チューブ本体３１の外周面３１ａに巻き付けて、接着層４４により固定する。補強テープ４１の作製工程以外は、第１実施形態と同様であるので、説明を省略する。
【００３８】
このように、補強テープ４１によりチューブ本体３１を補強し、チューブ本体３１の径方向剛性を曲げ方向剛性よりも高くしたから、鉗子チャンネルチューブ４０を、曲げ易く、且つ潰れ難くすることができ、良好な操作性を確保しながら、湾曲時の径方向への潰れを防止することができる。
【００３９】
また、樹脂層４７の下面に接着層４４を取り付け、接着層４４により補強テープ４１をチューブ本体３１に巻き付け固定したから、チューブ本体３１と補強テープ４１との剥離を防止することができる。
【００４０】
なお、周方向補強繊維４６ａを、軸方向補強繊維４６ｂよりも高剛性の材料から構成することにより、チューブ本体３１の径方向剛性を曲げ方向剛性よりも高くした場合や、周方向補強繊維４６ａを設けるピッチを、軸方向補強繊維４６ｂを設けるピッチよりも小さくして、単位面積内で周方向補強繊維４６ａを軸方向補強繊維４６ｂよりも多数設けることにより、チューブ本体３１の径方向剛性を曲げ方向剛性よりも高くした場合にも、第２実施形態と同様の効果を得られる。
【００４１】
なお、上記実施形態では、チューブ本体３１の軸方向の全範囲に補強テープ３２または補強テープ４１を巻き付け固定したが、チューブ本体３１の湾曲部１６を挿通される部分のみ補強テープ３２または補強テープ４１を巻き付け固定するようにしてもよい。
【００４２】
また、上記実施形態では、チューブ本体３１を、フッ素樹脂により構成したが、可撓性を有するような材料から構成すればよい。
【００４３】
さらに、上記実施形態では、本発明を内視鏡用鉗子チャンネルチューブに実施したが、内視鏡用送気・送水チャンネルチューブ等に実施してもよい。
【００４４】
以上述べたように、本発明は、径方向剛性と曲げ方向剛性に異方性を持たせることで、曲げ易く、且つ潰れ難い内視鏡用チューブを製造することができる。径方向剛性と曲げ方向剛性に異方性を持たせるためには、チューブ本体の軸方向に高剛性部と低剛性部とが周期的に配置され、且つチューブ本体の周方向の全体にわたって高剛性部と低剛性部とが配置されるように補強層を作製すればよい。このため、補強層として、第１実施形態、第２実施形態で補強層３４、４３を例示したが、本発明はこれに限定されず、上記の要件を満たすものであれば、如何なるものでもよい。
【００４５】
軸方向補強繊維４６ｂは、径方向剛性と曲げ方向剛性に異方性を持たせることには寄与していない。軸方向補強繊維４６ｂは、補強ネット４６、ひいては周方向補強繊維４６ａを樹脂層４７に充填する際の支持体に過ぎず、逆に軸方向補強繊維４６ｂがあることで、チューブ本体３１の曲げ方向剛性が高められ、曲げ難くなる。このため、軸方向補強繊維４６ｂは、チューブ本体３１の軸方向に沿って配置されていなくてもよく、究極的にはない方がよい。
【図面の簡単な説明】
【００４６】
【図１】内視鏡を示す概略図である。
【図２】内視鏡用鉗子チャンネルチューブを示す斜視図である。
【図３】鉗子チャンネルチューブの製造工程を示すフローチャートである。
【図４】（Ａ）は、補強テープの断面図であり、（Ｂ）は、鋳型の凹部に硬樹脂を流し込んだ状態の断面図であり、（Ｃ）は、硬質樹脂の凹部に軟質樹脂を流し込んだ状態の断面図であり、（Ｄ）は、硬質樹脂の不要部分をカットした状態の断面図である。
【図５】補強テープを補強ネット及び樹脂層からなる補強層と接着層とにより構成した実施形態の内視鏡用鉗子チャンネルチューブを示す斜視図である。
【図６】（Ａ）は、補強テープの断面図であり、（Ｂ）は周方向補強繊維及び軸方向補強繊維からなる補強ネットの断面図であり、（Ｃ）は加熱圧着した補強ネットの断面図であり、（Ｄ）は基材に樹脂モノマーを塗布した状態の断面図であり、（Ｅ）は樹脂モノマーに補強ネットを載せた状態の断面図であり、（Ｆ）は基材を取り除いた状態の断面図である。
【符号の説明】
【００４７】
１０  内視鏡
２５、４０  内視鏡用鉗子チャンネルチューブ
３１  チューブ本体
３２、４１  補強テープ
３３、４２  外皮
３４、４３  補強層
３４ａ  硬質樹脂
３４ｂ  軟質樹脂
３５、４４  接着層
【図１】
2010029436.tif 000003
【図２】
2010029436.tif 000004
【図３】
2010029436.tif 000005
【図４】
2010029436.tif 000006
【図５】
2010029436.tif 000007
【図６】
2010029436.tif 000008